(57)【要約】【課題】ディスプレイパネルのリーク電流平衡装置の提供。【解決手段】インバータ（３０）及びディスプレイパネルモジュール（２０）を具えて、ディスプレイパネルモジュール（２０）の灯管（３、４）及び外部金属カバー構造（１）間に残存するを除去或いは中和するか或いは平衡状態とするディスプレイパネルのリーク電流平衡装置において、このリーク電流平衡装置（２）が直接ディスプレイパネルモジュール（２０）の外部金属カバー構造（１）に連接されて、波形信号を外部金属カバー構造（１）に直接注入し、ディスプレイパネルに残存するを除去或いは中和するか或いは平衡状態とすることを特徴とする。【選択図】        図１
2004327178.tif 000002
【特許請求の範囲】
【請求項１】
インバータ（３０）及びディスプレイパネルモジュール（２０）を具えて、ディスプレイパネルモジュール（２０）の灯管（３、４）及び外部金属カバー構造（１）間に残存するを除去或いは中和するか或いは平衡状態とするディスプレイパネルのリーク電流平衡装置において、このリーク電流平衡装置（２）が直接ディスプレイパネルモジュール（２０）の外部金属カバー構造（１）に連接されて、波形信号を外部金属カバー構造（１）に直接注入し、ディスプレイパネルに残存するを除去或いは中和するか或いは平衡状態とすることを特徴とする、ディスプレイパネルのリーク電流平衡装置。
【請求項２】
請求項１記載のディスプレイパネルのリーク電流平衡装置において、このリーク電流平衡装置（２）が波形信号生成装置とされ、該波形信号生成装置が、信号計算関数回路（２１）、波形生成回路の等値周波数（２２）、波形信号生成回路の出力抵抗（２３）、及び平衡信号注入パッシブ素子（２４）で組成され、このパッシブ素子がコンデンサ、インダクタ、変圧器、電池の任意の一種類で組成されたことを特徴とする、ディスプレイパネルのリーク電流平衡装置。
【請求項３】
請求項１記載のディスプレイパネルのリーク電流平衡装置において、このリーク電流平衡装置（２）がアクティブ式とされ、固定周波数、波幅の固定モードの波形信号を注入するか、或いはマルチ位相、マルチ周波数、マルチ波幅の複雑な合成関数波形を注入し、このアクティブ式のリーク電流平衡装置（２）が架橋素子（５）と中和信号波形生成装置回路（６）で組成されたことを特徴とする、ディスプレイパネルのリーク電流平衡装置。
【請求項４】
請求項３記載のディスプレイパネルのリーク電流平衡装置において、アクティブ式のリーク電流平衡装置（２）が、架橋素子（５）、波形合成モジュール（７）及び波形分析モジュール（８）で組成されたことを特徴とする、ディスプレイパネルのリーク電流平衡装置。
【請求項５】
請求項１記載のディスプレイパネルのリーク電流平衡装置において、リーク電流平衡装置（２）が直接ディスプレイパネルモジュール（２０）の中間層樹脂材料（４０）に連接されたことを特徴とする、ディスプレイパネルのリーク電流平衡装置。
【請求項６】
請求項１記載のディスプレイパネルのリーク電流平衡装置において、リーク電流平衡装置（２）が直接ディスプレイパネルモジュール（２０）とインバータ（３０）の間に連接され、時分割式或いは位相分割式で、ディスプレイパネルに残存する電荷を除去或いは中和するか或いは平衡状態となし、前述のリーク電流平衡装置（２）が第１スイッチ（１７）と第２スイッチ（１８）、及び第２スイッチ（１８）に連接された架橋素子（５）と中和信号波形生成装置回路（６）で組成され、該第１スイッチ（１７）と第２スイッチ（１８）が高圧スイッチング素子のＭＯＳ、或いはその他のアクティブ素子、パッシブ素子のいずれか一種類で組成されたことを特徴とする、ディスプレイパネルのリーク電流平衡装置。
【請求項７】
請求項１記載のディスプレイパネルのリーク電流平衡装置において、インバータ（３０）が変圧器とされたことを特徴とする、ディスプレイパネルのリーク電流平衡装置。
【発明の詳細な説明】
【０００１】
【発明の属する技術分野】
本発明は一種のディスプレイパネルのリーク電流平衡装置に係り、特に、ディスプレイパネルモジュールの灯管及び外部金属カバー構造間に残存する電荷を除去或いは中和するか或いは平衡状態とすることができる装置に関する。
【０００２】
【従来の技術】
一般にディスプレイ装置にあっては、液晶ディスプレイを例とすると、通常、バックライト投射光源があり、且つ複数の灯管で組成され、図１に示されるように、そのうちＲｓ１／Ｒｓ２は線抵抗（一定等値でない）とされ、Ｃ１  、Ｃ２  は灯管の主要な等価のドープコンデンサとされ、一定等値でなく、且つ製造上の因子、或いは機構位置、或いは導線配置により、多くの場合、Ｃ１  、Ｃ２  は不平衡となる。そのうち、Ｒｘ１、Ｒｘ２はドープ等価コンデンサの直列抵抗とされ、バックライト灯管に通常高周波且つ高圧の電力供給インバータが採用されているため、ドープ寄生効果の等価回路が複雑となり、且つ平均分配と平衡保持が難しくなる。
このためＬ１  、Ｌ２  を流れる灯管電流が、寄生素子の不平衡により、同じくならず或いは平均しなくなり、不平衡となり、このためパネルの全体輝度、グレースケールの表現上、不平衡或いは不均一の現象が発生し、ディスプレイの画質表現に影響が出るだけでなく、人の視覚の健康に対して、一定の影響を及ぼす恐れがある。しかし、これまでにこの問題を解決する方法は提供されていない。
【０００３】
【発明が解決しようとする課題】
本発明の主要な目的は、上述の従来の技術の欠点を解決し、欠点の存在を無くすことにあり、則ち、本発明は一種の波形信号生成装置を利用し、ディスプレイパネルに残存するリーク電流に対して、リーク電荷を除去或いは中和するものである。
【０００４】
上述の目的を達成するため、本発明の運用する装置は、直接ディスプレイパネルモジュールの外部金属カバー構造或いは中間層樹脂材料に、直接連接されるか或いは架橋素子を介して連接され、直接信号を外部金属カバー構造の中間層樹脂材料に注入し、ディスプレイパネルに残存する電荷を排除或いは中和するか或いは平衡状態とする。
【０００５】
【課題を解決するための手段】
請求項１の発明は、インバータ（３０）及びディスプレイパネルモジュール（２０）を具えて、ディスプレイパネルモジュール（２０）の灯管（３、４）及び外部金属カバー構造（１）間に残存するを除去或いは中和するか或いは平衡状態とするディスプレイパネルのリーク電流平衡装置において、このリーク電流平衡装置（２）が直接ディスプレイパネルモジュール（２０）の外部金属カバー構造（１）に連接されて、波形信号を外部金属カバー構造（１）に直接注入し、ディスプレイパネルに残存するを除去或いは中和するか或いは平衡状態とすることを特徴とする、ディスプレイパネルのリーク電流平衡装置としている。
請求項２の発明は、請求項１記載のディスプレイパネルのリーク電流平衡装置において、このリーク電流平衡装置（２）が波形信号生成装置とされ、該波形信号生成装置が、信号計算関数回路（２１）、波形生成回路の等値周波数（２２）、波形信号生成回路の出力抵抗（２３）、及び平衡信号注入パッシブ素子（２４）で組成され、このパッシブ素子がコンデンサ、インダクタ、変圧器、電池の任意の一種類で組成されたことを特徴とする、ディスプレイパネルのリーク電流平衡装置としている。
請求項３の発明は、請求項１記載のディスプレイパネルのリーク電流平衡装置において、このリーク電流平衡装置（２）がアクティブ式とされ、固定周波数、波幅の固定モードの波形信号を注入するか、或いはマルチ位相、マルチ周波数、マルチ波幅の複雑な合成関数波形を注入し、このアクティブ式のリーク電流平衡装置（２）が架橋素子（５）と中和信号波形生成装置回路（６）で組成されたことを特徴とする、ディスプレイパネルのリーク電流平衡装置としている。
請求項４の発明は、請求項３記載のディスプレイパネルのリーク電流平衡装置において、アクティブ式のリーク電流平衡装置（２）が、架橋素子（５）、波形合成モジュール（７）及び波形分析モジュール（８）で組成されたことを特徴とする、ディスプレイパネルのリーク電流平衡装置としている。
請求項５の発明は、請求項１記載のディスプレイパネルのリーク電流平衡装置において、リーク電流平衡装置（２）が直接ディスプレイパネルモジュール（２０）の中間層樹脂材料（４０）に連接されたことを特徴とする、ディスプレイパネルのリーク電流平衡装置としている。
請求項６の発明は、請求項１記載のディスプレイパネルのリーク電流平衡装置において、リーク電流平衡装置（２）が直接ディスプレイパネルモジュール（２０）とインバータ（３０）の間に連接され、時分割式或いは位相分割式で、ディスプレイパネルに残存する電荷を除去或いは中和するか或いは平衡状態となし、前述のリーク電流平衡装置（２）が第１スイッチ（１７）と第２スイッチ（１８）、及び第２スイッチ（１８）に連接された架橋素子（５）と中和信号波形生成装置回路（６）で組成され、該第１スイッチ（１７）と第２スイッチ（１８）が高圧スイッチング素子のＭＯＳ、或いはその他のアクティブ素子、パッシブ素子のいずれか一種類で組成されたことを特徴とする、ディスプレイパネルのリーク電流平衡装置としている。
請求項７の発明は、請求項１記載のディスプレイパネルのリーク電流平衡装置において、インバータ（３０）が変圧器とされたことを特徴とする、ディスプレイパネルのリーク電流平衡装置としている。
【０００６】
【発明の実施の形態】
図１は本発明のディスプレイとバックライトモジュールの間の等価連接表示図である。図示されるように、本発明のディスプレイパネルのリーク電流平衡装置は、有効にディスプレイとバックライトモジュールの間の寄生コンデンサにより発生するリーク電流、リーク電荷を中和し、リーク電流の不平衡現象を排除したことにより、各灯管を流れる電流により灯管光源の一致性を保持させ、パネルの広い範囲の輝度を平均とする。
【０００７】
本発明によると、ディスプレイパネルモジュール（２０）の外部金属カバー構造（１）或いは中間層樹脂材料（４０）にリーク電流平衡装置（２）（波形信号生成装置）が設けられ、この装置が、リーク電流、リーク電荷平衡ジェネレータとされ、信号計算関数回路（２１）、波形生成回路の等値（ｒｍｓ平方根）周波数（２２）、波形信号生成回路の出力抵抗（２３）及び平衡信号注入パッシブ素子（２４）（コンデンサ、変圧器、電池或いは直接注入形態とされる）で組成されている。
【０００８】
Ｓｉ  よりｉｃ１＋ｉｃ２＋ｉｃ  ＋．．．．．．の不平衡リーク電流が取得され、点灯の駆動インバータ（変圧器）（３０）の出力は公衆端数１０ＫＨｚで高圧（数百ボルト）であるため、ＲＦＣ上或いは本発明の出力の等価出力抵抗（Ｒ０  ）（２３）上で不平衡電圧が得られ、且つこの電圧がｉｃ１、ｉｃ２の各電流の間で異なる位相差及び信号差を有するため、この波形合成後の信号は灯管（３、４）と位相差を有し得て、さらには波幅上の波幅誤差を有し得て、理論上位相差ともとの信号の間の和（差）は低周波の寄生或いはリーク電流信号値を発生しうる。
【０００９】
Ｓｉ  より取得された信号がさらに信号計算関数回路（２１）に送られる。この回路は電圧ジェネレータの制御を受けて、開始電位が０Ｖとされ、この時、Ｓｉ  は不平衡信号の入力により、その回路が不断に昇圧し、制御を受けた電圧がさらに波形信号生成装置（リーク電流平衡装置（２））に送られる。この波形信号生成装置は、電圧により制御される可変周波数発生器とされ、０Ｖ入力時は極低周波信号入力とされ、入力制御電圧が不断に増加すると、該波形信号生成装置の出力周波数逐次増加し、信号周波数と前の位相差と入力される点灯周波数差の低周波数値が一致する時、Ｓｉ  信号がＶＡＣが出力抵抗（２３）と平衡信号注入パッシブ素子（２４）を通り外部金属カバー構造（１）に至るリーク電流のリーク電荷が中和を発生し、Ｓｉ  信号が零に近づく（或いは最小となる）。
【００１０】
ＳＢＡＬ  が外部金属カバー構造（１）に注入する平衡信号の位相分割量の和はｉｃ１とｉｃ２の位相分割量に分解できるため、それぞれｉｃ１とｉｃ２のリーク電流、リーク電荷を除去或いは中和でき、Ｓｉ  の信号がある周波数の出力平衡信号に到達する時、最低値を達成し、この時の信号計算関数回路（２１）はＳｉ  が最低で、出力制御電圧が固定されているため、ＶＡＣ信号発生装置（波形信号生成装置；リーク電流平衡装置（２））の出力は終止ある参考周波数を追跡し、Ｓｉ  を最低点に維持し、則ち全体のコンデンサＣ１  ＋Ｃ２  ＋Ｃ＋．．．．．．の寄生ドープ素子部分を平衡中和の状態に維持する。
【００１１】
コンデンサＣ１  、Ｃ２  等の寄生ドープ素子のリーク電流、リーク電荷は本装置により打ち消され、これにより灯管（３、４）の電流を干渉せず、灯管（３、４）電流を平均し平衡した状態に維持し、これにより、全体の表示装置の表面に均一な輝度とグレースケール結果を獲得させ、従来の技術の問題と重大な品質上の欠点を解決する。
【００１２】
図２は本発明のパッシブ式実施例を示し、図３は本発明のもう一つのパッシブ式実施例を示す。図示されるように、本実施例は前述の実施例とほぼ同じであるが、異なるところは、外部金属カバー構造（１）或いは中間層樹脂材料（４０）に架橋素子（５）が連接され、この架橋素子（５）がコンデンサ、インダクタ、変圧器で組成され、コンデンサと連接されるとコンデンサ容量とプラス端、マイナス端の影響を受け、且つＬＯＷ  ＥＳＲ（等価直列抵抗）が最良とされる。
【００１３】
図４、５は本発明の第１アクティブ式実施例と実際の回路表示である。図示されるように、本実施例は上述の実施例とほぼ同じであるが、異なるところは、架橋素子（５）に中和信号波形生成装置回路（６）が連接され、この装置はゲイン増加と大きな電流を提供し、固定モードの波形信号を注入し（波形信号は外部金属カバー構造（１）或いは中間層樹脂材料（４０）に注入される）、この信号は固定周波数、波幅とされるが、マルチ位相、マルチ周波数、マルチ波幅の複雑な合成関数波形とされることもでき、コンデンサＣ１  、Ｃ２  等の寄生ドープ素子のリーク電流、リーク電荷を除去する。
【００１４】
図６、７、８は本発明の第２種のアクティブ式実施例図及び実際のブロック図と操作フロー表示図である。図示されるように、本実施例は上述の実施例とほぼ同じであるが、異なるところは、架橋素子（５）と外部金属カバー構造（１）の間に波形合成モジュール（７）及び波形分析モジュール（８）が連接されたことである。
【００１５】
上述の二つのモジュールは起動時に、走査周波数（ＤＡＣより生成）を送出し、さらにＡＤＣが信号数値を読み取り１０、さらに読み取り数値の最低点を判断し探し１１、もし最低点でなければ、９のステップに戻り、もし最低点であれば、信号波形維持１２し、さらに波形データをＤＡＣに送り１３、さらに信号波形を送出１４する。或いは、読み取り値がフローティングするかを判断し１５、フローティングしなければ、信号波形維持１２に戻り、もしフローティングすれば、出力信号波形を修正１６の後、信号波形維持１２に戻る。
【００１６】
図９は本発明の前端注入式実施例表示図である。図示されるように、本実施例では、直接ディスプレイパネルモジュール（２０）の前端とインバータ（３０）間に第１スイッチ（１７）と第２スイッチ（１８）が連接され、この第２スイッチ（１８）が上述の架橋素子（５）と中和信号波形生成装置回路（６）に順に連接され、該第１スイッチ（１７）、第２スイッチ（１８）が高圧スイッチング素子のＭＯＳ、或いはその他のアクティブ、パッシブ素子のいずれか一種類で組成され、則ち、時分割式（或いは位相分割式）で、ディスプレイパネルモジュール（２０）に残存する電荷を排除或いは中和するか或いは平衡状態とする。
【００１７】
以上は本発明の好ましい実施例の説明であって、本発明の実施範囲を限定するものではなく、本発明に基づきなしうる細部の修飾或いは改変は、いずれも本発明の請求範囲に属するものとする。
【００１８】
【発明の効果】
本発明のディスプレイパネルのリーク電流平衡装置は、従来の技術の欠点を解決し、インバータ（３０）及びディスプレイパネルモジュール（２０）を具えて、ディスプレイパネルモジュール（２０）の灯管（３、４）及び外部金属カバー構造（１）間に残存するを除去或いは中和するか或いは平衡状態とするディスプレイパネルのリーク電流平衡装置において、このリーク電流平衡装置（２）が直接ディスプレイパネルモジュール（２０）の外部金属カバー構造（１）に連接されて、波形信号を外部金属カバー構造（１）に直接注入し、ディスプレイパネルに残存するを除去或いは中和するか或いは平衡状態とすることを特徴とする。
【図面の簡単な説明】
【図１】本発明のディスプレイとバックライトモジュールの間の等価連接表示図である。
【図２】本発明のパッシブ式実施例表示図である。
【図３】本発明の別のパッシブ式実施例表示図である。
【図４】本発明の第１種のアクティブ式実施例表示図である。
【図５】図４の実際の回路表示図である。
【図６】本発明の第２種のアクティブ式実施例表示図である。
【図７】図６の実際の回路ブロック図である。
【図８】図６の操作フローチャートである。
【図９】本発明の前端注入式実施例表示図である。
【符号の説明】
（１）外部金属カバー構造
（２）リーク電流平衡装置
（３、４）灯管
（５）架橋素子
（６）中和信号波形生成装置回路
（７）波形合成モジュール
（８）波形分析モジュール
（１７）第１スイッチ
（１８）第２スイッチ
（２０）ディスプレイパネルモジュール
（２１）信号計算関数回路
（２２）波形生成回路の等値周波数
（２３）波形信号生成回路の出力抵抗
（２４）平衡信号注入パッシブ素子
（３０）インバータ
（４０）中間層樹脂材料
【図１】
2004327178.tif 000003
【図２】
2004327178.tif 000004
【図３】
2004327178.tif 000005
【図４】
2004327178.tif 000006
【図５】
2004327178.tif 000007
【図６】
2004327178.tif 000008
【図７】
2004327178.tif 000009
【図８】
2004327178.tif 000010
【図９】
2004327178.tif 000011